(57)【特許請求の範囲】
【請求項１】
前後左右壁からなり開口を有する筒状のノブ取付部に、透光表示部を有するスイッチノブの操作レバー部を前記開口から挿入し、該スイッチノブを前記左右壁に揺動操作可能に軸支するシーソー型スイッチにおいて、
前記スイッチノブの操作レバー部側に、前記軸支の中心と同心の曲面を有し前記透光表示部領域に渡って存在するボス状部を設け、
前記ノブ取付部の前後壁に、前記軸支の中心の前後両側で前記曲面に近接対向する前後対向部を設け、
前記ノブ取付部の左右壁に、前記ボス状部両側面に近接対向する左右対向部と前記ボス状部の曲面両側に沿って近接対向する左右曲面部と前記スイッチノブの左右から垂下した板部に近接対向する左右壁外面部との少なくとも一つを設け、
前記ボス状部の少なくとも前記透光表示部領域に存在する部分を、透光性材で形成したことを特徴とするシーソー型スイッチ。
【請求項２】
請求項１記載のシーソー型スイッチであって、
前記前後対向部は、前記ノブ取付部の前後壁内面頂部であり、
前記左右曲面部は、前記前後壁内面頂部間に渡って形成されていることを特徴とするシーソー型スイッチ。
【請求項３】
開口を有する筒状のノブ取付部に、透光表示部を有するスイッチノブの操作レバー部を前記開口から挿入し、該スイッチノブを揺動可能に軸支するシーソー型スイッチにおいて、
前記スイッチノブの操作レバー部側に、前記軸支の中心と同心の曲面を有するボス状部を設け、
前記ノブ取付部に、前記軸支の中心の前後両側で前記曲面に近接する近接対向部を備えて前記前壁内面及び左右壁内面間と前記後壁内面及び左右壁内面間とをそれぞれ閉止する閉止部を設け、
前記閉止部の少なくとも前記透光表示部領域に存在する部分を、透光性材で形成したことを特徴とするシーソー型スイッチ。
【請求項４】
請求項３記載のシーソー型スイッチであって、
前記閉止部は、前記近接対向部よりも前記開口側で前記軸支の中心から漸次離間する形状により前記スイッチノブの揺動時の干渉を逃げる開口側逃げ部及び前記近接対向部よりも前記操作レバー部側で前記軸支の中心から漸次離間する形状により前記操作レバー部の揺動時の干渉を逃げるレバー側逃げ部とを備えたことを特徴とするシーソー型スイッチ。
【発明の詳細な説明】
【０００１】
【発明の属する技術分野】
本発明は、自動車のパワーウインドウスイッチ等に用いられるシーソー型スイッチに関する。
【０００２】
【従来の技術】
従来のシーソー型スイッチとしては、例えば図１５に示すようなものがある（特開平９−１６７５４３号公報）。図１５（ａ）は従来のシーソー型スイッチの分解斜視図、図１５（ｂ）は正面図、図１５（ｃ）は図１５（ｂ）のＳＡ−ＳＡ矢視断面図である。
【０００３】
この図１５のように、従来のシーソー型スイッチ２０１は、ケース２０３の上面にノブ取付部２０５が設けられ、該ノブ取付部２０５の支持ピン２０７にスイッチノブ２０９が前後揺動可能に軸支されている。このスイッチノブ２０９には、操作レバー部２１１が備えられ、該操作レバー部２１１は前記ケース２０３内に挿入されている。前記操作レバー部２１１の下端はケース２０３内に配置された可動盤２１３の連動ピン２１５に係合されている。従って、スイッチノブ２０９を前後へ揺動操作すると、操作レバー部２１１を介して連動ピン２１５が操作され、可動盤２１３によるスイッチ動作を行わせることができる。
【０００４】
又、前記ケース２０３内には、図１５（ｃ）のように光源２１７が設けられている。前記スイッチノブ２０９には光を透過する指標が設けられ、光源２１７からの照明光が指標を透過することにより、夜間等でもスイッチノブ２０９の指標を容易に視認することができる。
【０００５】
【発明が解決しようとする課題】
しかしながら、上記のような構造であると、ノブ取付部２０５の上面が大きく開口し、このノブ取付部２０５の開口からケース２０３内へ塵埃その他の異物が入り込んで可動接点や固定接点等に付着し、可動盤２１３の作動不良や接点不良等を招く恐れがあった。特に、ノブ取付部２０５からスイッチノブ２０９の操作レバー部２１１を挿入し、その揺動操作によって可動盤２１３を作動させるために、ノブ取付部２０５の開口が広くならざるを得ないものであった。同時に、ケース２０３内に設けた光源２１７からの照明光をノブ取付部２０５を通過させて、スイッチノブ２０９の指標に当てるようにしているため、かかる点においてもノブ取付部２０５の開口を大きくせざるを得ないものとなっていた。このため塵埃の進入等を避けることができなかった。
【０００６】
本発明は、スイッチノブの揺動操作及び透光による表示を可能にしながら、防塵性の高いシーソー型スイッチの提供を課題とする。
【０００７】
【課題を解決するための手段】
請求項１の発明は、前後左右壁からなり開口を有する筒状のノブ取付部に、透光表示部を有するスイッチノブの操作レバー部を前記開口から挿入し、該スイッチノブを前記左右壁に揺動操作可能に軸支するシーソー型スイッチにおいて、前記スイッチノブの操作レバー部側に、前記軸支の中心と同心の曲面を有し前記透光表示部領域に渡って存在するボス状部を設け、前記ノブ取付部の前後壁に、前記軸支の中心の前後両側で前記曲面に近接対向する前後対向部を設け、前記ノブ取付部の左右壁に、前記ボス状部両側面に近接対向する左右対向部と前記ボス状部の曲面両側に沿って近接対向する左右曲面部と前記スイッチノブの左右から垂下した板部に近接対向する左右壁外面部との少なくとも一つを設け、前記ボス状部の少なくとも前記透光表示部領域に存在する部分を、透光性材で形成したことを特徴とする。
【０００８】
請求項２の発明は、請求項１記載のシーソー型スイッチであって、前記前後対向部は、前記ノブ取付部の前後壁内面頂部であり、前記左右曲面部は、前記前後壁内面頂部間に渡って形成されていることを特徴とする。
【０００９】
請求項３の発明は、開口を有する筒状のノブ取付部に、透光表示部を有するスイッチノブの操作レバー部を前記開口から挿入し、該スイッチノブを揺動可能に軸支するシーソー型スイッチにおいて、前記スイッチノブの操作レバー部側に、前記軸支の中心と同心の曲面を有するボス状部を設け、前記ノブ取付部に、前記軸支の中心の前後両側で前記曲面に近接する近接対向部を備えて前記前壁内面及び左右壁内面間と前記後壁内面及び左右壁内面間とをそれぞれ閉止する閉止部を設け、前記閉止部の少なくとも前記透光表示部領域に存在する部分を、透光性材で形成したことを特徴とする。
【００１０】
請求項４の発明は、請求項３記載のシーソー型スイッチであって、前記閉止部は、前記近接対向部よりも前記開口側で前記軸支の中心から漸次離間する形状により前記スイッチノブの揺動時の干渉を逃げる開口側逃げ部及び前記近接対向部よりも前記操作レバー部側で前記軸支の中心から漸次離間する形状により前記操作レバー部の揺動時の干渉を逃げるレバー側逃げ部とを備えたことを特徴とする。
【００１１】
【発明の効果】
請求項１の発明では、前後左右壁からなり開口を有する筒状のノブ取付部に、透光表示部を有するスイッチノブの操作レバー部を前記開口から挿入し、該スイッチノブを前記左右壁に揺動可能に軸支することができる。又、前記スイッチノブの操作レバー部側に前記軸支の中心と同心の曲面を有し、前記透光表示部領域に渡って存在するボス状部を設け、前記ノブ取付部の前後壁に前記軸支の中心の前後両側で前記曲面に近接対向する前後対向部を設けたので、スイッチノブとノブ取付部の前後壁との間を前後対向部がボス状部の曲面に近接対向することによって閉止することができる。又、前記ノブ取付部の左右壁に前記ボス部両側面に近接対向する左右対向部と前記ボス状部の曲面両側に沿って近接対向する左右曲面部と前記スイッチノブの左右から垂下した板部に近接対向する左右壁外面部との少なくとも一つを設けたので、ノブ取付部の左右壁とボス状部との間は左右対向部がボス状部両側面に近接対向するか、左右曲面部がボス状部の曲面両側に近接対向するか、操作ノブの左右から垂下した板部に左右外壁面部が近接対向することの少なくとも一つにより閉止することができる。従って、スイッチノブとノブ取付部の前後左右壁との間のいずれにおいても閉止されることになり、ノブ取付部の開口が存在しても内部に塵埃等が入り込むのを大幅に抑制することができる。しかも、前記ボス状部の少なくとも前記透光表示部領域に存在する部分を、透光性材で形成したため、光源からの光が透光性材を通って透光表示部に当てられ、透光表示部を明るく表示することができる。従って、スイッチ内部の防塵性を高めながら、スイッチノブの光源による透光表示を確実に行うことができ、夜間等においてもスイッチノブの透光表示部を的確に視認することができる。
【００１２】
請求項２の発明では、請求項１の発明の効果に加え、前記前後対向部は前記ノブ取付部の前後壁内面頂部であり、前記左右曲面部は前記前後壁内面頂部間に渡って形成されたため、ボス状部の曲面とノブ取付部の前後壁内面頂部及び左右曲面部によってノブ取付部を容易に閉止し、防塵性を確実に保持することができる。
【００１３】
請求項３の発明では、開口を有する筒状のノブ取付部に透光表示部を有するスイッチノブの操作レバー部を前記開口から挿入し、該スイッチノブを揺動可能に軸支することができる。そして、前記スイッチノブの操作レバー部側に前記軸支の中心と同心の曲面を有するボス状部を設け、前記ノブ取付部に前記軸支の中心の前後両側で前記曲面に近接する近接対向部を備えて前記前壁内面及び左右壁内面間と後壁内面及び左右壁内面間とをそれぞれ閉止する閉止部を設けたため、スイッチノブとノブ取付部との間を閉止部によって確実に閉止することができる。従って、ノブ取付部の開口から内部への塵埃等の侵入を抑制し、高い防塵効果を得ることができ、接点の動作を確実に行わせることができる。又、前記閉止部の少なくとも前記透光表示部領域に存在する部分を、透光性材で形成したため、光源からの光を閉止部を通してスイッチノブの透光表示部に当てることができ、透光表示部を明るく表示することができる。従って、夜間等においてもスイッチノブの透光表示部を的確に視認することができる。
【００１４】
請求項４の発明では、請求項３の発明の効果に加え、前記閉止部は、前記近接対向部よりも前記開口側で前記軸支の中心から漸次離間する形状により前記スイッチノブの揺動時の干渉を逃げる開口側逃げ部及び前記近接対向部よりも前記操作レバー部側で前記軸支の中心から漸次離間する形状により前記操作レバー部の揺動時の干渉を逃げるレバー側逃げ部とを備えたため、閉止部による閉止を行いながら、スイッチノブの揺動操作を確実に行わせることができる。
【００１５】
【発明の実施の形態】
（第１実施形態）
図１は、本発明の第１実施形態に係るシーソー型スイッチを適用したスイッチとして、例えば、自動車用パワーウインドウスイッチの分解斜視図を示している。図１のように、自動車用パワーウインドウスイッチ１は、ケース３と、ターミナルブロック５とを備え、例えば自動車の運転席のドアのアームレストやドアの車室側に設置されている。
【００１６】
尚、後述する各部位、部材の位置、方向は、添付した図面における方向を示すものであり、上下、左右、前後の向きは自動車用パワーウインドウスイッチ１の配置状態で変わるものであり、それに限定するものではない。以下、添付した図面の図示した任意の状態を基準として本発明を詳述する。
【００１７】
前記ケース３は、下面が開放された箱型を呈し、上面に複数のノブ取付部７，９，１１，１３，１５，１７が設けられている。各ノブ取付部７，９，１１，１３，１５，１７にはそれぞれスイッチノブ１９，２１，２３，２５，２７，２９が支持されている。
【００１８】
前記スイッチノブ１９は、ドアをロックする操作部材であり、本発明の第１実施形態を適用したシーソー型スイッチである。前記スイッチノブ２１は、ウインドウをロックするプッシュロックスイッチの操作部材であり、ケース３のノブ取付部９に上下動自在に組み付けられている。前記スイッチノブ２３は、運転席のウインドウを開閉する２段階シーソースイッチの操作部材であり、ケース３のノブ取付部１１に軸支され、ケース３に揺動自在に取り付けられている。前記スイッチノブ２５は、助手席側のウインドウを開閉する自動復帰型シーソースイッチの操作部材であり、ケース３のノブ取付部１３に軸支され、ケース３に揺動自在に取り付けられている。前記スイッチノブ２７は、後席運転席側のウインドウを開閉する自動復帰型シーソースイッチの操作部材であり、ケース３のノブ取付部１５に軸支され、ケース３に揺動自在に取り付けられている。前記スイッチノブ２９は、後席助手席側のウインドウを開閉する自動復帰型シーソースイッチの操作部材であり、ケース３のノブ取付部１７に軸支され、ケース３に揺動自在に取り付けられている。
【００１９】
前記スイッチノブ１９には、上面にスイッチの作動表示及び夜間照明表示する透光表示部３１が樹脂の２色成形等によって設けられている。前記透光表示部３１は、スイッチノブ１９の下方から光を当てることによって透光表示部３１に付記したスイッチノブ１９の機能を表示するマークが明るく表示され、夜間等においてスイッチノブ１９の種類を明確に認識することができる。該当光表示部３１は、白色、オレンジ色、又は緑色のポリカーボネイト、或いはポリアセタールで成る。スイッチノブ１９の下面側には、操作レバー部３３が一体に設けられている。操作レバー部３３には、コイルスプリング３５を介して例えば導電性金属板をＵ字状に折曲して成る可動接点３７が支持されている。
【００２０】
前記ターミナルブロック５は、端子及び固定接点１０１，１０３に導通した複数の導電板を絶縁樹脂でインサート成形して成るハウジング３９を備えている。このハウジング３９には、固定接点支持部４１が設けられている他、ムービングブロック４３、オートスイッチ４５、ムービングブロック４７，４９，５１等が配置されている。
【００２１】
前記ターミナルブロック５のハウジング３９上には、さらに回路基板５３が支持されている。この回路基板５３には、光源として発光素子（ＬＥＤ）５４又はランプが設けられている。この回路基板５３は、ハウジング３９の上側開口部に嵌合すると共に、ハウジング３９から上方向に向けて突出した端子をスルーホールに挿入して半田付けすることで固定されている。
【００２２】
そして、組付状態で前記スイッチノブ１９の可動接点３７は、固定接点支持部４１上に弾接する。前記スイッチノブ２１はムービングブロック４３を連動させ、スイッチノブ２３は小型のスライドスイッチで成るオートスイッチ４５を連動させ、スイッチノブ２５，２７，２９はそれぞれの可動接点をＯＮ，ＯＦＦさせるムービングブロック４７，４９，５１を連動させる構成となっている。
【００２３】
ここで、本発明の第１実施形態を適用したシーソー型スイッチであるスイッチノブ１９の部分における具体的構造をさらに説明する。図２は、スイッチノブ１９をケース３に組み付けた状態の一部切欠き正面図、図３はスイッチノブ１９を取り外した状態のノブ取付部７の部分におけるケース３の平面図、図４はスイッチノブ１９とノブ取付部７におけるケース３との正面方向から見た分解断面図、図５は同側面方向から見た分解断面図である。
【００２４】
前記ノブ取付部７は、前後壁５５，５７、左右壁５９，６１からなり、上端に開口６２を有する筒状に形成されている。左右壁５９，６１の中央部外面には、図２，図５のように支持軸６３，６５が一体に突設されている。この支持軸６３，６５の中心と、前記前後壁５５，５７の上端とは同一高さに設定され、左右壁５９，６１は、中央上端６７，６９が最も高く、その前後に傾斜面７１を有している。この傾斜面７１は前後壁５５，５７の上端に至っている。
【００２５】
前記ノブ取付部７の前後壁５５，５７の前後壁内面頂部７３，７５は、前後対向部を構成し、前記スイッチノブ１９の軸支の中心として軸支中心Ｃとなる支持軸６３，６５の中心の前後両側に位置している。この前後壁内面頂部７３，７５は、前記スイッチノブ１９の後述する曲面８９に近接対向している。本実施形態において、前後壁内面頂部７３，７５の曲面８９に対する近接対向位置は、軸支中心Ｃとほぼ同じ高さとなっているが、ノブ取付部７の前後壁５５，５７を軸支中心Ｃよりも低くし、軸支中心Ｃよりも低い位置で前後対向部を設定し曲面８９に近接対向させることもできる。
【００２６】
前記ノブ取付部７の左右壁には、左右曲面部７７，７９が設けられている。この左右曲面部７７，７９は、前記スイッチノブ１９の後述する曲面両側に沿って近接対向する構成となっている。前記左右曲面部７７，７９は、前記軸支中心Ｃと同心の円弧状に形成され、前後壁５５，５７の内壁面間に渡って形成されている。すなわち、左右曲面部７７，７９の上端は、前後壁５５，５７の前後壁内面頂部７３，７５に至っている。又、本実施形態においては、左右壁５９，６１の左右壁内面５９ａ，６１ａは、前記スイッチノブ１９の後述するボス状部８３両側面に近接対向する左右対向部として構成されている。
【００２７】
前記スイッチノブ１９は、ノブ操作部８１の裏面側に、前記操作レバー部３３を一体に有し、この操作レバー部３３側にボス状部８３が設けられている。前記ノブ操作部８１の左右側部には、支持孔８５，８７が貫通形成されている。該支持孔８５，８７は、前記支持軸６３，６５に嵌合し、スイッチノブ１９は支持軸６３，６５によって揺動可能に軸支され、軸支中心Ｃの回りに前後壁５５，５７方向へ揺動操作可能となっている。
【００２８】
前記ボス状部８３は、前記軸支中心Ｃと同心の曲面８９を有し、ノブ操作部８１の裏面や操作レバー３３から突出したと突起である。ボス状部８３は、図５及び図１２に示すように左右両側面８３ａ，８３ｂをノブ取付部７の左右壁内面５９ａ、６１ａにスイッチノブ１９を揺動可能な状態に隙間を極力少なくして設置し、前記ボス状部８３の前後両側の曲面８９を図４，図１０，及び図１１に示すような半円柱形状や円弧状突起や球面状突起で形成して、その曲面８９を前後壁内面頂部７３，７５に常時近接するように配置することで、前記ボス状部８３でノブ取付部７の開口６２を閉塞して防塵する蓋の機能を備えている。この曲面８９の曲率は、前記ノブ取付部７の左右曲面部７７，７９と同様な曲率を有し、組付状態で左右曲面部７７，７９が曲面両側９１ａ，９１ｂに近接対向する構成となっている。尚、前記左右曲面部７７，７９の曲面両側９１ａ，９１ｂへの近接対向は、左右曲面部７７，７９が曲面両側９１ａ，９１ｂに摺接する状態も含むものである。
【００２９】
又、組付状態において、ボス状部８３の両側面８３ａ，８３ｂには、前記左右対向部としての左右壁内面５９ａ，６１ａが近接対向する。このボス状部８３の両側面８３ａ，８３ｂに対するノブ取付部７の左右壁内面５９ａ，６１ａの近接対向は、両者が摺接する状態も含むものである。
【００３０】
前記ボス状部８３は、スイッチノブ１９の透光表示部３１領域に渡って存在している。本実施形態においては、前記ボス状部８３の略半分が透光性部品９３で形成され、この透光性部品９３が前記透光表示部３１に対応してノブ操作部８１の裏面８１ａとボス状部８３の取付面８３ｃとに、例えば接着等によって固定されている。尚、透光性部品９３は、裏面８１ａと取付面８３ｃとに凹凸部等によって着脱自在に係合固定すること等もできる。例えば、透光性部品９３及びボス状部８３の互いの接合面に弧状の凸部と、この凸部が嵌合する凹部を形成して互いに嵌合することで、透光性部品９３をボス状部８３にワンタッチで組み付けるようにしてもよい。前記透光性部品９３は、例えばアクリル、ポリカーボネイト等によって透明或いは半透明に形成されている。前記透光性部品９３は、発光素子５４の光を透光表示部３１に導くためのガイドと、操作レバー部３３とノブ取付部７との隙間を無くして防塵するための部材である。
【００３１】
尚、図１０に示すように、透光性部品９３は、透光表示部３１とボス状部８３を一体にしたものでもよい。また、ボス状部８３の前後側は、少なくとも曲面８９があればよく、操作レバー部３３側には、窪んだ切欠部があってもよい。
【００３２】
更に、透光性部品９３は、図１１に示すようになくてもよい。この場合、ボス状部８３は、断面が円弧状や半球状の突起９２をノブ操作部８１の裏面８１ａから突出させて曲面８９を形成すると共に、曲面８９内に発光素子５４からの光を透光表示部３１に導くことができる空間９０を形成する。これにより、突起９２で前述した図４に示すボス状部８３と同様に防塵を行い、空間９０で発光素子５４の光を透光表示部３１に導くガイド機能がある。
【００３３】
前記操作レバー部３３には、図１，図４，図５に示すように、固定接点支持部４１側の端部（図４，図５では下端部）にコイルスプリング３５を挿入する盲孔３３ａが形成され、この盲孔３３ａの開口端側に、可動接点３７の左右上端部に形成した爪３７ａを係止させる横穴３３ｂが連続して形成されている。前記コイルスプリング３５は、一端が前記盲孔３３ａに挿入され、他端を可動接点３７のスイッチノブ１９側の端部中央に形成された切欠部３７ｂに挿入して支持されている。該コイルスプリング３５は、可動接点３７を付勢する接点ばねの役目と節度溝としての傾斜面９５，９７，及び谷部９９に圧接する節度体としての可動接点３７を付勢する節度ばねの役目を兼備している。
【００３４】
前記固定接点支持部４１は、図６，図７のようになっている。図６は固定接点支持部４１の正面図、図７は同平面図である。この固定接点支持部４１には、スイッチノブ１９をＯＮ位置からＯＦＦ位置に自動復帰させるための傾斜面９５，９７が設けられ、該傾斜面９５，９７間にスイッチノブ１９をＯＦＦ位置に支持するための谷部９９が形成されている。前記傾斜面９５，９７には、ターミナルブロック５にインサート成形した固定接点１０１，１０３が傾斜面９５，９７と面一に露出している。
【００３５】
そして、前記スイッチノブ１９は操作レバー部３３がノブ取付部７の開口６２から挿入され、支持孔８５，８７が支持軸６３，６５に嵌合されて、スイッチノブ１９が左右壁５９，６１に揺動操作可能に軸支される。前記操作レバー部３３に支持された可動接点３７は、コイルスプリング３５の付勢力により前記固定接点支持部４１上に弾接する。
【００３６】
この状態において、ボス状部８３の曲面８９にノブ取付部７の前後壁５５，５７の前後壁内面頂部７３，７５が近接対向し、ボス状部８３の曲面両側９１ａ，９１ｂにノブ取付部７の左右曲面部７７，７９が近接対向することになる。従って、ノブ取付部７の開口６２は、ボス状部８３によって閉止されることになり、開口６２からの塵埃等の侵入を防止することができる。こうして、塵埃が可動接点３７、固定接点１０１及び１０３に付着することを阻止し可動接点３７の固定接点１０１或いは１０３に対する接点不良等の不具合を防止することができる。特に、前記左右曲面部７７，７９を、前記前後壁５５，５７内面間、すなわち前後壁内面頂部７３，７５に渡って形成したため、ボス状部８３の曲面８９とノブ取付部７の前後壁５５，５７内面及び左右曲面部７７，７９によってノブ取付部７を容易に閉止し、防塵性を確実に保持することができる。
【００３７】
尚、曲面両側９１ａ，９１ｂに対する左右曲面部７７，７９の近接対向と、左右の両側面８３ａ，８３ｂに対する左右壁内面５９ａ，６１ａの近接対向との何れか一方のみによっても塵埃の侵入を抑制することができる。従って、左右の両側面８３ａ，８３ｂに左右壁内面５９ａ，６１ａを近接対向させたときには、曲面両側９１ａ，９１ｂに対し、左右曲面部７７，７９を若干離間させても塵埃等の入り込みを抑制することができる。
【００３８】
また、スイッチノブ１９の左右の両側面８３ａ，８３ｂの防塵は、図１２に示すように、スイッチノブ１９のノブ操作部８１の左右から垂下し、支持孔８５，８７を形成した板部としての軸穴形成板部８２，８４と左右壁５９，６１外面部とをスイッチノブ１９が揺動できる程度に隙間を開け、近接対向させて配置することで防塵してもよい。
【００３９】
更に、本実施形態においては、前記回路基板５３上の発光素子５４の発光によって照明光が透光性部品９３を通り、透光表示部３１を照明することができる。従って、塵埃等の侵入を防止するためにボス状部８３が存在しても、透光表示部３１を無理なく照明することができ、夜間等においてもスイッチノブ１９の透光表示部３１を容易に視認することができる。また、透光性部品９３以外の部分で前記ボス状部８３は不透光であり、発光素子５４の光がスイッチノブ１９外に漏れるのを抑制することができる。
【００４０】
スイッチ操作に際しては、スイッチノブ１９のノブ操作部８１の前後いずれかを押すと、スイッチノブ１９がノブ取付部７の支持軸６３，６５を中心にして、揺動操作されることになる。このときボス状部８３の曲面８９と、ノブ取付部７の左右曲面部７７，７９とは、軸支中心Ｃを中心として同心状に対向しているから、スイッチノブ１９の揺動操作を無理なく行うことができる。この揺動操作に際し、ノブ取付部７の左右曲面部７７，７９にスイッチノブ１９の曲面８９を摺接ガイドするように構成すると、スイッチノブ１９の安定した揺動操作と、ガタツキ防止を可能にすることができる。
【００４１】
前記スイッチノブ１９の揺動操作に際しては、可動接点３７がコイルスプリング３５の付勢力に抗して傾斜面９５，９７のいずれかを上り、固定接点１０１，１０３のいずれかに接触することになり、可動接点３７の固定接点１０１，１０３に対する接触を確実に行わせることができる。しかも、スイッチノブ１９から指を離すなどして操作を止めると、コイルスプリング３５によって可動接点３７が傾斜面９５或いは９７を下りるように付勢されることになる。従って、可動接点３７は谷部９９へ自動復帰することになり、スイッチノブ１９の節度と位置決めとを確実に得ることができる。
【００４２】
尚、上記実施形態では、支持軸６３，６５をノブ取付部１９の左右側５９，６１外面に設けたが、同内面に設けることも可能である。
【００４３】
図８，図９は、前記接点支持部４１の変形例を示している。図８の接点支持部４１Ａでは、水平面４１Ａａにも固定接点１０３Ａを配置し、この固定接点１０３Ａに可動接点３７が接触し、操作ノブ１９が傾いている状態をコイルスプリング３５に付勢された可動接点３７が水平面４１Ａａに圧接することで保持している。これとは反対の方向に操作ノブ１９を揺動操作すると、可動接点３７は、固定接点１０１に接触してＯＮし、操作ノブ１９から手を離すと、可動接点３７はコイルスプリング３５の弾力で傾斜面９５を滑り降り、谷部９９のＯＦＦ位置に自動復帰する。
【００４４】
図９の接点支持部４１Ｂでは、固定接点１０１Ａを傾斜面９５から谷部９９を経て、傾斜面９７に至るように配置し、可動接点３７が谷部９９の操作ノブ１９の中立位置及び傾斜面９５にあるときは固定接点１０１Ａに接触し、可動接点３７が傾斜面９７を登る方向に操作ノブ１９を揺動操作したときだけ可動接点３７が固定接点１０３に接触して切り換わる。接点支持部４１Ｂは、Ｖ字状の節度溝であるため、操作ノブ１９を前後方向に揺動操作しても谷部９９に自動復帰する。
（第２実施形態）
図１３，図１４は本発明の第２実施形態に係り、図１３は要部の断面図、図１４は要部の拡大断面図である。尚、第１実施形態と対応する構成部分には同符号を付して説明する。
【００４５】
本実施形態においても、スイッチノブ１９Ａの操作レバー部３３Ａ側に、ボス状部８３Ａが設けられている。スイッチノブ１９Ａは、ボス状部８３Ａの部分においてノブ取付部７の左右壁に設けられた支持軸６３Ａによって揺動操作可能に軸支されている。そして、ボス状部８３Ａは、軸支中心Ｃと同心の曲面８９Ａを有している。前記ボス状部８３Ａは、第１実施形態のボス状部８３よりも小さく形成されている。
【００４６】
前記ノブ取付部７には、閉止部を構成する閉止部材１０４，１０５が設けられている。前記閉止部材１０４は、前記軸支中心Ｃの前側で前記ボス状部８３Ａの曲面８９Ａに近接対向する近接対向部１０７を備えている。前記閉止部材１０５は、前記軸支中心Ｃの後側で前記曲面８９Ａに近接する近接対向部１０９を備えている。これら近接対向部１０７，１０９は、閉止部材１０４，１０５の頂部として構成され、該頂部としての近接対向部１０７，１０９は、図１４のようにボス状部８３Ａの揺動を許容すべく軸支中心Ｃよりも若干低い位置で曲面８９Ａ前後に対向している。
【００４７】
前記閉止部材１０４，１０５には、開口側逃げ部１１１，１１３、及びレバー側逃げ部１１５，１１７を備えている。前記開口側逃げ部１１１，１１３は、前記近接対向部１０７，１０９よりもノブ取付部７の開口側で軸支中心Ｃから漸次離間する傾斜形状に形成されている。前記レバー側逃げ部１１５，１１７は、前記近接対向部１０７，１０９よりも前記操作レバー部３３Ａ側で、前記軸支中心Ｃから漸次離間する傾斜形状に形成されている。
【００４８】
すなわち、前記近接対向部１０７，１０９、開口側逃げ部１１１，１１３、及びレバー側逃げ部１１５，１１７で形成される図１４のような断面山形の外形は、ボス状部８３Ａ及び操作レバー部３３Ａの最大揺動位置で近接対向するように、傾斜角度をボス状部８３Ａ、及び操作レバー部３３Ａの揺動角度に一致させた構成となっている。
【００４９】
前記閉止部材１０４は、前記ノブ取付部７の前壁５５内面及び左右壁５９，６１内面間に接着或いは凹凸係合により取り付けられ、該取り付けにより前記前壁５５内面及び左右壁５９，６１内面間を閉止している。前記閉止部材１０５は、前記ノブ取付部７の後壁５７内面及び左右壁５９，６１内面間に接着或いは凹凸係合によって取り付けられ、該取り付けにより前記後壁５７内面及び左右壁５９，６１内面間を閉止している。
【００５０】
尚、前記凹凸係合とは、例えば、閉止部材１０４，１０５の外周面に弧状の凸部を形成し、ノブ取付部７の前壁５５及び左右壁５９，６１の内面に、前記凸部が係合する貫通孔などで成る凹部を形成し、凸部と凹部を互いに嵌合することで、閉止部材１０４，１０５をノブ取付部７にワンタッチに取り付ける手段である。
【００５１】
前記閉止部材１０４，１０５はそれぞれ透光性材、例えばアクリル、ポリカーボネイト等によって透明或いは半透明に形成されている。閉止部材１０４，１０５は少なくとも透光表示部３１領域に存在する部分を透光性材で形成すればよく、例えば閉止部材１０４のみを透光性材で形成し、閉止部材１０５は非透光性材で形成することも可能である。この場合は、発光素子からの光がスイッチノブ１９Ａ周囲から漏れるのをより確実に抑制することができる。
【００５２】
本実施形態においても、ボス状部８３Ａの両側面に、ノブ取付部７の左右壁５９，６１内面が左右対向部として近接対向している。又、第１実施形態と同様に、ボス状部８３Ａの曲面８９Ａ両側に沿って近接対向する左右曲面部を、前記ノブ取付部７の左右壁５９，６１内面に設けることも可能である。
【００５３】
そして、本実施形態においては、前記閉止部材１０４，１０５が、ノブ取付部７とスイッチノブ１９Ａとの間を閉止するから、ノブ取付部７の開口６２から内部へ塵埃等が侵入するのを抑制することができ、接点動作を確実に行わせることができる。
【００５４】
特に、スイッチノブ１９Ａの揺動操作に際し、図１４のように開口側逃げ部１１１，１１３、レバー側逃げ部１１５，１１７がスイッチノブ１９Ａの揺動時の干渉を逃げるため、近接対向部１０７，１０９をボス状部８３Ａの曲面８９Ａに極力近接させることができ、かかる点においても塵埃等の侵入を確実に抑制することができる。又、本実施形態においても、ボス状部８３Ａの両側面に、前記ノブ取付部７の左右壁５９，６１内面が近接対向しているため、かかる点においても塵埃等の侵入を確実に抑制することができる。
【００５５】
前記閉止部材１０４は、透光性材で形成され、非透光性材で成るノブ取付部７に内設されているため、発光素子からの光を通して、漏光することなく透光表示部３１を照明することができ、夜間等においても透光表示部３１を容易に視認することができる。
【００５６】
尚、上述した第１実施形態及び第２実施形態のスイッチノブ１９，１９Ａの防塵構造は、ノブが揺動するスイッチノブ２３，２５，２７，２９を始め、全てのシーソースイッチやレバースイッチに適用することができる。
【図面の簡単な説明】
【図１】本発明の第１実施形態に係るシーソー型スイッチを適用した自動車用パワーウインドウスイッチの分解斜視図である。
【図２】第１実施形態に係り、スイッチノブをノブ取付部に支持させた状態の一部切欠き正面図である。
【図３】第１実施形態に係り、ノブ取付部及びその周辺の平面図である。
【図４】第１実施形態に係り、スイッチノブとノブ取付部との正面方向から見た分解状態の断面図である。
【図５】第１実施形態に係り、スイッチノブとノブ取付部との側面方向から見た分解状態の断面図である。
【図６】第１実施形態に係り、接点支持部の正面図である。
【図７】第１実施形態に係り、接点支持部の平面図である。
【図８】第１実施形態に係り、接点支持部の変形例を示す断面図である。
【図９】第１実施形態に係り、接点支持部の他の変形例を示す断面図である。
【図１０】第１実施形態の変形例に係り、スイッチノブの正面方向から見た断面図である。
【図１１】第１実施形態の他の変形例に係り、スイッチノブの正面方向から見た断面図である。
【図１２】第１実施形態にの変形例に係り、スイッチノブとノブ取付部との側面方向から見た組み付け状態の断面図である。
【図１３】本発明の第２実施形態に係り、スイッチノブとノブ取付部との組付状態の断面図である。
【図１４】第２実施形態に係る要部の拡大断面図である。
【図１５】従来例に係り、（ａ）はスイッチノブとノブ取付部との関係を示す分解状態の斜視図、（ｂ）はスイッチノブをノブ取付部に組み付けた状態の正面図、（ｃ）は（ｂ）のＳＡ−ＳＡ矢視断面図である。
【符号の説明】
７  ノブ取付部
１９，１９Ａ  スイッチノブ
３１  透光表示部
３３，３３Ａ  操作レバー部
５５  前壁
５７  後壁
５９  左壁
６１  右壁
６２  開口
６３，６５，６３Ａ  支持軸
Ｃ  軸支中心
７３，７５  前後対向面（近接対向部）
７７  左曲面部
７９  右曲面部
８２，８４  軸穴形成板部（板部）
８３，８３Ａ  ボス状部
８９，８９Ａ  曲面
９３  透光性部材
１０４，１０５  閉止部材（閉止部）
１０７，１０９  近接対向部
１１１，１１３  開口側逃げ部
１１５，１１７  レバー側逃げ部
【図１】
0004694047.tif 000002
【図２】
0004694047.tif 000003
【図３】
0004694047.tif 000004
【図４】
0004694047.tif 000005
【図５】
0004694047.tif 000006
【図６】
0004694047.tif 000007
【図７】
0004694047.tif 000008
【図８】
0004694047.tif 000009
【図９】
0004694047.tif 000010
【図１０】
0004694047.tif 000011
【図１１】
0004694047.tif 000012
【図１２】
0004694047.tif 000013
【図１３】
0004694047.tif 000014
【図１４】
0004694047.tif 000015
【図１５】
0004694047.tif 000016